(57)【要約】      （修正有）【課題】臭いおならは、回りの人に迷惑ばかりか、本人も恥ずかしい思いをする。放屁時の音も問題であった。快適におならの消臭と消音を行うクッションを提供する。【解決手段】おなら吸収クッション１ａは、内部に空気が出入りする空気出入口３と空気を取り込む空気取込部４を分離し、パイプ４ｂで繋いだものである。空気取込部４は消臭繊維で縫製、又は貼り付け構成され、内部にコイルばねの戻りばね４２を入れたもので、手２０で押すことにより空気取込部４が変形（潰れ）、離す事により復元する。また、復元するときに、空気出入口３より、放屁ガス体を吸引する。これにより、座り心地が良く、他の人に気付かれにくく、片手で軽く操作が出来るおなら吸収クッションとなる。【選択図】図２
0003170161.tif 000002
【実用新案登録請求の範囲】
【請求項１】
お尻を載せるクッションにおいて、
内部に空気が出入りする空気出入口と空気を取り込む空気取込部を設けたこと
を特徴とする、おなら吸収クッション。
【請求項２】
請求項１に記載のおなら吸収クッションであって、
前記空気出入口は、少なくともクッション片面の中央部付近に設けたこと
を特徴とする、おなら吸収クッション。
【請求項３】
請求項１または２に記載のおなら吸収クッションであって、
前記空気取込部に、空気の流れを抑制する空気流制限部を設けたこと
を特徴とする、おなら吸収クッション。
【請求項４】
請求項１から３のいずれかに記載のおなら吸収クッションであって、
前記空気取込部を、クッション部と分離したこと
を特徴とする、おなら吸収クッション。
【請求項５】
請求項１から４に記載のおなら吸収クッションであって、
前記空気取込部の空気取込みに、空気を送るポンプや送風機を用いた吸引装置を設けたこと
を特徴とする、おなら吸収クッション。
【請求項６】
請求項１から５のいずれかに記載のおなら吸収クッションであって、
前記空気取込部の、空気取込みは、空気取込部を構成するプラスチックや金属の反発力、または、コイルバネや、板バネの反発力で達成されること
を特徴とする、おなら吸収クッション。
【請求項７】
請求項１から６のいずれかに記載のおなら吸収クッションであって、
前記空気取込部の内部、外部周辺は、消臭繊維で構成されていること
を特徴とする、おなら吸収クッション。
【請求項８】
お尻を載せるクッションにおいて、
少なくとも片面中央付近の内部にマイクを設け、おなら音を騒音源として、打ち消し音源を発生する消音装置とスピーカを設け、電子消音部としたこと
を特徴とする、おなら吸収クッション。
【請求項９】
請求項１から７のいずれかに記載のおなら吸収クッションであって、
前記空気出入口付近にマイクを設け、おなら音を騒音源として、打ち消し音源を発生する消音装置とスピーカを設け、電子消音部としたこと
を特徴とする、おなら吸収クッション。
【請求項１０】
請求項５に記載のおなら吸収クッションであって、
前記記載の吸引装置は電動とし、電動スイッチにより稼動制御すること
を特徴とする、おなら吸収クッション。
【請求項１１】
請求項１から１０のいずれかに記載のおなら吸収クッションであって、
椅子や自動車シートの座部としたこと
を特徴とする、おなら吸収クッション。
【考案の詳細な説明】
【技術分野】
【０００１】
本考案は、おならの吸収、消臭、吸音するクッションに関する。
【背景技術】
【０００２】
おならを外に漏らさず、活性炭で消臭するおなら消臭パンツや、座布団の内部に、スポンジ、台形部材と平板部材を組み合わせたト肩部材を設けることにより、おならの音を防ぐことや、その周囲に消臭材が分散した綿、香水又はベビーパウダーを設ける事によって、おならの臭いも消す事が出来る、オナラとにおいと音を出さない座布団（特許文献２参照）が記載されている。
【０００３】
しかしながら、活性炭や、消臭繊維を用いた消臭材の消臭作用は、大半を消臭するのに少なくとも数分間を要し、その間ガスを封じ込めておく必要がある。特許文献１の消臭パンツは、たっぷりしたパンツで、アウターに影響しやすく、熱もこもりやすく、前もってはいていなければならない点や、消音効果が無い問題がある。特許文献２は、内部の気圧と、外部の気圧が同じ圧力のため、一次的なおならのガス圧だけでは、おならのガス体がスポンジを通して、浸透しにくく、外に漏れてしまう。また、消音効果もあまり期待できない、逆に内部空洞部に響き渡り、音を増大しかねなかった。
【先行技術文献】
【特許文献】
【０００４】
【特許文献１】特開第２００５−２８１９２８号公報
【特許文献２】登録実用新案第３１４２３４９号公報
【考案の概要】
【考案が解決しようとする課題】
【０００５】
臭いおならは、回りの人に迷惑ばかりか、本人も恥ずかしい思いをする。このためおならを我慢し、健康を害することや、人に会うのを嫌う様になる等の問題が発生していた。また、放屁時の音も、同じ様な問題を抱えていた。
【０００６】
そこで本考案は、おならのガス体をもれなく吸収し、内部で消臭すると共に、おならの音も消し去り、安心しておならが出来るクッションを提供することを目的とする。
【課題を解決するための手段】
【０００７】
上記課題を解決するために、本考案のおなら吸収クッションは、内部に空気が出入りする空気出入口と空気を取り込む空気取込部を設けたもので、空気取込部は少なくともクッション片面の中央部付近に設けた。
また、空気取込部に、空気の流れる量を押さえ狭くした空気流制限部を設けた。
また、空気取込部を、クッション部と分離した。
【０００８】
また、空気取込部の空気取込みに、強制的に空気を送るポンプや送風機を用いた吸引装置を設けた。
また、空気取込部の、空気取込みは、空気取込部を構成するプラスチックや金属の反発力、または、コイルバネや、板バネの反発力で一定空間を保たせた。
さらに、少なくとも片面中央付近の内部や、空気出入口付近にマイクを設け、おなら音を騒音源として、打ち消し音源を発生する消音装置とスピーカを設け、電子消音部とした。
また、吸引装置は電動とし、電動スイッチにより稼動制御する。
その上、椅子や自動車シートの座部とした。
【考案の効果】
【０００９】
本考案によれば、おならの臭いやおならの音を気にせずにおならができると共に、おならを我慢する事なく、明るく健康に生活出来る。
【図面の簡単な説明】
【００１０】
【図１】本考案の第１の実施形態に係るおなら吸収クッションの一部断面図である。（実施例１）
【図２】本考案の第２の実施形態に係るおなら吸収クッションの一部断面図である。（実施例２）
【図３】本考案の第３の実施形態に係るおなら吸収クッションの一部断面図である。（実施例３）
【図４】本考案の第４の実施形態に係るおなら吸収クッションの一部断面図である。（実施例４）
【図５】本考案の第５の実施形態に係るおなら吸収クッションの一部断面図である。（実施例５）
【図６】本考案の第６の実施形態に係るおなら吸収クッションの一部断面図である。（実施例６）
【図７】本考案の第７の実施形態に係るおなら吸収クッションの一部断面図である。（実施例７）
【図８】本考案の第８の実施形態に係るおなら吸収クッションを自動車等のシートの座部とした一部断面斜視図である。（実施例８）
【図９】本考案の第９の実施形態に係るおなら吸収クッションを自動車等のシートの座部とした一部断面斜視図である。（実施例９）
【図１０】本考案の第１０の実施形態に係るおなら吸収クッションを椅子のシートの座部とした一部断面斜視図である。（実施例１０）
【考案を実施するための形態】
【００１１】
本考案の実施の形態について、以下、図に基づいて説明する。
【００１２】
＜第１の実施形態＞
図１は、本考案の第１の実施形態に係るおなら吸収クッションの一部断面図である。
【００１３】
図１（ａ）に示すように、おなら吸収クッション１は、内部に空気が出入りする空気出入口３をクッション片面の中央部付近に設け、空気を取り込む空気取込部４を設けたおなら吸収クッションである。
空気出入口３と空気を取込む空気取込部４は、空胴体２に構成され、空胴体２は、ポリプロピレンなどのプラスチックや、エラストマー、ゴムなどと組み合わされ、表面には、複数の穴を有し、体重を掛けた際に変形する。複数の穴は、その大きさが直径０．５〜２ｃｍで、空洞体の全域（上面、下面、側面）に渡り、形成されている。空胴体２の回りには、消臭繊維５で覆い、その外周を、クッションカバー７で覆っている。底面はクッション効果を高めるために、スポンジ６を配している。ここでは、消臭繊維５とクッションカバー７で覆っているのみであるが、消臭繊維５の周辺をポリウレタンなどのスポンジやエラストマーなどで覆ってもよい。図１（ｂ）は、おなら吸収クッション１の上にお尻１０を載せた（座った）状態を示し、お尻１０の重さにより、空胴体２がたわみ、稍扁平になった状態を示す。図１（ｃ）は、おなら吸収クッション１の両脇を手２０で体重を掛け、手移動方向４０の下方向に押しつけた状態を示し、空胴体４の両脇が潰され、空気取込部４の空気が、空気移動方向６０の方向に向かい空気出入口３から出ていく。さらに、図１（ｄ）では、両手をおなら吸収クッション１から離すとほぼ同時に、放屁した状態を示し、放屁ガス体３０が空気出入口３から空気移動方向７０方向に向かい空気取込部４付近に取り込まれる。その後、空気取込部４の取り込まれたガス体は、空胴体２の穴から漏れだし、周囲を覆った消臭繊維によって、臭いが吸収、除去されるものである。使用者は、何気なくおなら吸収クッション１の両脇に手を掛け、押しつけ、離す、その瞬間放屁する事により、おならが素早く吸引キャッチされ、もれなく、空気出入口３を介し、空気取込部４に取り込まれる。両脇の手を伸ばし、力を加える行為は、おなら時の力みと調子を合わせることができる。その後、空気取込部４に取り込まれたガス体は、徐々に（例えば５分後に約８０％）消臭がされる。このように、おならが回収され、臭いが気になら無くなる。また、他の人にも一般のクッションと気付かず配置する事が出来る。おならを取り込む空気出入口３は、放屁ガス体３０を透過しやすくする為に、消臭繊維やスポンジ類にも穴を開け、クッションカバー７のみで、おなら吸収クッション１を覆い構成するのが良い。穴は凹みを防止するために網状のフィルタ等を敷くのが良い。また、座り心地が良い様にスポンジ６等を適度に配する。これにより、座り心地が良く、他の人に気付かれにくく、ガス体を吸い込むので、臭いが外に漏れないおなら吸収クッションとなる。
【００１４】
一般に、沸石（ゼオライト）は、イオン交換、触媒、吸着効果がある。近年これらを繊維にバインダー加工や、練り込み加工したものや、銅や、銀を金属イオン導入したものがある。これらの消臭繊維は、悪臭成分であるアンモニア、硫化水素、酢酸、メチルメルカプタン、インドール等を消臭する。そのため、これらの消臭繊維を使用するのが有効である。また、他に活性炭などを使用しても良く、ここでは、おなら成分を吸収、消臭する材料を含む素材（繊維素材等）を示し、特に限定するわけではない。
また、空気出入口３から空気取込部４は回りを収集繊維で覆う図や説明が主体になっているが、空気出入口３から空気取込部４の内部にこれらの消臭成分を含んだ繊維や、スポンジ、フィルタ材が配置されたものでも良い。
上記吸収クッションは、自動車、バス、電車、飛行機などの乗り物のシートや、施設のベンチのシートにも適用できる。
以下の各実施形態では、前実施形態と同じ部分については同じ符号を付して、その詳細な説明を省略する。また、下記吸収クッションも、自動車、バス、電車、飛行機などの乗り物のシートや、施設のベンチのシートに適用できる。
＜第２の実施形態＞
図２は、本考案の第２の実施形態に係るおなら吸収クッションの一部断面図である。
【００１５】
図２（ａ）に示すように、おなら吸収クッション１ａは、内部に空気が出入りする空気出入口３と空気を取り込む空気取込部４を分離し、パイプ４ｂで繋いだものである。空気取込部４は消臭繊維で縫製、又は貼り付け構成され、内部にコイルばねの戻りばね４２を入れたもので、手２０で押すことにより空気取込部４が変形（潰れ）、離す事により復元するものである。また、復元するときに、空気出入口３より、放屁ガス体を吸引するものである。
これにより、座り心地が良く、他の人に気付かれにくく、片手で軽く操作が出来るおなら吸収クッションとなる。
＜第３の実施形態＞
図３は、本考案の第３の実施形態に係るおなら吸収クッションの一部断面図である。
【００１６】
図３のおなら吸収クッション１ｂは、図１のおなら吸収クッション１とほぼ同じ構成であるが、空胴体２の途中に空気流制限部９を設けた事が異なる。空気流制限部９は、所定の隙間を設けた区切り部材によって、空洞部２内を複数の部屋に区切ることにより、空洞体２の内部の気体の行き来の容易性を抑制する。空気流制限部９は、空気出入口３から、空気取込部４への空気（ここでは放屁ガス体）の流れを穏やかにするもので、ゆっくりと駆動、吸い込むため、おならのタイミング合わせに時間が掛かる場合や、長いおならに対して有効である。
空洞体２は外側を消臭繊維５で覆われ、その外周を消音材６ａで覆い、消音を行う、消音材は、密集した不織布等を使用する。これにより、座り心地が良く、他の人に気付かれにくく、臭いも音も外に漏れないおなら吸収クッションとなる。なお、図２で示したパイプ４ｂを使用する事でも空気流制限部９と同じ様な効果が得られる。
＜第４の実施形態＞
図４は、本考案の第４の実施形態に係るおなら吸収クッションの一部断面図である。
【００１７】
図４のおなら吸収クッション１ｃは図１のおなら吸収クッション１とほぼ同じ構成であるが、空気取込部４が空胴構成体２ａと２ｂに別れ、コイルばね８により、空洞部が保たれている例を示す。図４（ａ）では、手２０によりおなら吸収クッション１ｃの両脇を押さえ空気取込部４を押し下げている状態を示す。これにより、空気取込部４内の気体の一部は空気出入口３から排出されるとともに、空気取込部４の容積が減少する。図４（ｂ）では、両手を離し、コイルばね８により空気取込部４の容積が元に戻り、内圧が減少し、外の空気（放屁ガス体）を空気出入口３から取り込んでいる状態を示す。
空胴体構成体２ａと２ｂは、複数の穴の空いたプラスチックや、金属板、若しくは、メッシュ材や、金属網のようなもので構成しても良い。
バネの力で戻る事により安定した戻りを有するクッションとなる。
＜第５の実施形態＞
図５は、本考案の第５の実施形態に係るおなら吸収クッションの一部断面図である。
【００１８】
図５のおなら吸収クッション１ｄは図４のおなら吸収クッション１ｃとほぼ同じ構成であるが、空胴構成体２ａと２ｂに別れた空気取込部４が、板ばね８ａにより、空洞部が保たれている例を示す。ここでは、板ばねが曲がりクッションの役割をするが、両サイドはたわみやすくなる様に、空胴構成体２ａもたわみやすい材料や構造とすると良い。
＜第６の実施形態＞
図６は、本考案の第６の実施形態に係るおなら吸収クッションの一部断面図である。
【００１９】
図６のおなら吸収クッション１ｅは、送風機により、おならガス体を空気取込部４に吸引する構成を示し、おなら吸収クッション１ｅの中央付近に位置する空気出入口３の空気（放屁ガス体）をおなら放屁タイミングにあわせて吸引する。
吸収クッション１ｅは、スポンジ６の中心付近に空気出入口３を配し、空気出入口３と空気取込部４はパイプで接続され、その間に電動で動く吸引部、送風機８１が設けられ、おなら吸引クッションの表面付近に有る電源ＳＷ８０により駆動される。
空気取込部４の空気は、空気排出パイプ４ａを通って排出され、空気取込部４は新たなガス体で満たされ、ガス体は空気取込部４の周辺を覆う消臭繊維５により、消臭される。空気取込部４は、互い違いの壁により、空気が蛇行しながら空気排出パイプ４ａに導かれるようにする。これにより滞留時間を長くし、消臭効果が高まる。図示しないが、電源は内蔵式の電池や、外部電源を用いても良く、駆動は、おならのタイミングの前にスイッチを入れる様にしても、音を関知して、駆動開始する様にしても良いものである。吸収処理時、電動による、さわやかなメロディーを流したり、空気取込部４内部付近に芳香、消臭剤等を噴射しても良い。これにより、無理な姿勢をとらずして快適におならの消臭、消音が可能になる。
＜第７の実施形態＞
図７は、本考案の第７の実施形態に係るおなら吸収クッションの一部断面図である。
【００２０】
図７のおなら吸収クッション１ｆは、消臭だけでなく電動消音装置によりおなら音を消すものである。空気出入口３付近の設けられたマイク８３が騒音源９０をとらえ、イコライザアンプ８４を介し、両側の端付近のスピーカ８５、打ち消し音源９１から逆位相の打ち消し音を出力し消音する。図示しないが、電源は内蔵式の電池や、外部電源を用いても良く、駆動は、おならのタイミングの前のスイッチを入れても、音を関知して、電源を駆動しても良いものである。
【００２１】
一般に、アクティブ消音は、逆位相の音を重ね合わせて消音し、平面波同士の場合は２つの音源（面音源）の位相と距離を適切に設定すればきれいに波面の重ね合わせが可能で、消音が可能です。
空洞部はダクト内の消音効果とし、ダクト内を伝播する音波が平面波であるとみなすことが出来るのは，音の波長を λ，ダクト径を ｄ とした時，ｄ ＜λ/2  の条件が成り立つ場合です。つまり波長に対してダクト径が十分に小さければ，ダクト内は一次元の音場となる。
【００２２】
おなら音の音程３Ｋヘルツまでを消去対象と考えた場合、ダクトの径ｄは５０ｍｍ程度となる。ここでは平面的なダクト構造の両側にスピーカを配置した構造としていいるが、空気出入口３から５０角又は円断面のダクトを引き回し、先端にスピーカを１個設ける等の方法も有る。イコライザ（位相補正回路）や、ＤＳＰ（Ｄｉｇｉｔａｌ  Ｓｉｇｎａｌ  Ｐｒｏｃｅｓｓｏｒ）を用いても良い。ここでは、消音を目的とした電子器具で有れば良いものである。
空胴構成体２ａ、２ｂ周囲は消臭繊維５で覆い消臭を行います。
また、前記と同じように内部に消臭繊維をちりばめても良い。
【００２３】
＜第８の実施形態＞
図８は、本考案の第８の実施形態に係るおなら吸収クッションの一部断面斜視図である。
【００２４】
図８のおなら吸収クッションは、自動車のシート１００の座部１ｇとしたものを示し、空気出入口３が座部１ｇの両脇から中央、前側から稍、中央後方に設けられ、座部１ｇのスポンジ６の中を通り、接続部１０３へと柔軟性のあるパイプ（例えば、軟質ポリエチレンや、シリコンゴム）で繋がる。その接合部１０３には、空気取込部４が接合される。パイプ４ｂにより、接合部１０３から空気（放屁ガス体）を取り込む。図８では、接合部１０３から、空気取込部４のパイプを離した状態を示している。接合部とパイプによる接合は接続を離す事が出来ても、直接繋がっていても良く、さらに、座部や背部の一部に組み込まれていても良い。
空気取込部４には消臭繊維５で形成した空洞体を有し、外側には、押圧で中の空気がパイプを通して排出し、外形が収縮し、押圧を除くと、パイプから中に空気を吸い込み、外形が元に戻る様に蛇腹１０４を設けてある。また、内臓の消臭繊維５も一緒に動く。これにより、手２０が、空気取込部４を上から押すことによりパイプを通し接続部から空気出入口３に空気が流れ、押す手を離す事により、空気出入口３より空気を吸い込み空気取込部に空気が流れる。このタイミングで放屁すると、放屁ガス体が空気取込部４に流れ、周囲を覆う消臭繊維で消臭が行われる。図示しないが、空気出入口３から設続口までの間を、消臭繊維や防音繊維により形成したり、周囲に穴の空いた部材で形成し、消臭繊維や防音繊維で周囲を覆っても良い。また、図示していないが、空気取込部４の内部に防臭繊維や防音繊維等により、仕切により通路状とし、除去空間とし、この空間を通過する事で消臭、消音を行い、その通路の末端は外部に解放しても良い。また、その際、弁を設け、空気出入口３から、除去空間を介し、解放した空間方向へ流れる構造としても良い。例えば、空気出入口３からパイプ４ｂを通って空気取込部４に空気が流入する場合に開状態となる弁をパイプ４ｂに配置し、空気ポンプを構成する。これにより、ガス体の逆流がなくなる。
なお、自動車のシートに限らず、バス、電車、飛行機などの乗り物のシートや、施設のベンチのシートにも適用できる。
【００２５】
また、接合部１０３からパイプを通して車外に繋げ、外部に排出しても良い。
自動車の内部はある意味密室であり、おならは非常に気になるものである、車内で回りに気を止めず処理出来るのは、非常に有効である。また、運転手がおならを我慢することは、事故の原因にもなりかねない。これらの事を解消できる画期的な考案である。
なお、自動車のシートに限らず、バス、電車、飛行機などの乗り物のシートや、施設のベンチのシートにも適用できる。
＜第９の実施形態＞
図９は、本考案の第９の実施形態に係るおなら吸収クッションの一部断面斜視図である。
【００２６】
図９のおなら吸収クッションは、自動車のシート１００の座部１ｇとしたものを示し、空気出入口３が座部１ｇの両脇から中央、前側から稍中央後方に設けられ、座部１ｇのスポンジ６の中を通り、空気排出部３ａへと外周に複数穴の空いたパイプ（例えば、ポリプロピレンや、シリコンゴム）で繋がる。空気出入口３にはマイクと送風機が設けられ、空気取込部４の奥には、スピーカ８５が設けられ、空気出入口３からの放屁音を「騒音源」とし、スピーカ８５側を「うち消し音源」としたダクト構造を示す。
ここではスピーカは一般のスピーカを図示しているが、スピーカはセラミックスピーカー等の薄型で壊れにくいものとした方がより良い。
空気取込部４はダクトの効果を上げるために長くし、座部の下部付近を一周する様にしても良い。また、スピーカを駆動するイコライザアンプ８４が座内部に設けられ、座部１ｇ外にこれらをコントロールするリモコン８０ａが取り付けられている。
リモコン８０ａは駆動、起動はもとより、前もって放屁音波の高低、音量、ガス量を設定し作動することが出来たり、また、放屁音量や長さなどから放屁音波の高低、音量、ガス量を測定表示したり、それらの設定値を記録し、作動時のデータに利用してもよいものである。
空気取込部４の回りには、消臭繊維等を配し、消臭を行う、また、空気取込部４の潰れを防止保護する補強材１０５を施したものである。
ここで、使用時の一例を示すと、おならが出そうな場合、過去の自分のデータから設定を選び起動状態にしておく、そして、おもむろにおならが出る、そのとき、おならの音声をマイクが受け、送風機が回転をし始めると同時に、イコライザアンプ内に組み込まれたマイコンがマイクの信号と、設定データを元に、おなら音の位相を逆位相にし、スピーカを駆動し、おなら音を消去する。おなら音の停止と同時に送風機は止まる、これによりおならガス体は、空気取込部４付近に漂い、周囲の消臭繊維により、脱臭、消臭される。空気取込部４が長ければ、消臭効果は高まりやすく、取込ガス量も多くなる。
また、前記と同じように空気排出口３ａからパイプを通して車外に繋げ、外部に排出しても良い。
空気取込部４を座部と分離し、空気排出部３ａにパイプで接続する様にしても良い。
消臭ばかりか、スマートに消音も可能とし、お洒落なシートを用いた快適な自動車となる。
なお、自動車のシートに限らず、バス、電車、飛行機などの乗り物のシートや、施設のベンチのシートにも適用できる。
＜第１０の実施形態＞
図１０は、本考案の第１０の実施形態に係るおなら吸収クッションの一部断面斜視図である。
【００２７】
図１０のおなら吸収クッションは、食卓などの椅子１０１の座部１ｈとしたものを示し、空気出入口３が座部１ｈの両脇から中央、前側から稍中央後方に設けられ、座部１ｈの下方に蛇腹１０４を介し、空気取込部４に繋がる、空気取込部４は、座部の下をうねる様に配し、消臭繊維で構成、または、複数の穴の空いたパイプで構成しその周囲は、消臭繊維で覆われている。空気取出入口３の下には、おならガス体を空気取込部４に送る送風機８１が設けられ、電源ＳＷ８０で駆動するものである。電源ＳＷはボタンを押した時に、送風機を回しても、マイクセンサー等により、おなら音監視時の電源を駆動し、関知時に送風機を回しても良い。
一例として、食卓でのおならを消臭、消音する事により、家庭不和を減らし、明るい家庭を築く事に貢献できる。
ここでは、食卓等の椅子を例にしているが、ソファー等に利用しても良い。
【符号の説明】
【００２８】
１・１ａ・１ｂ・１ｃ・１ｄ・１ｅ・１ｆ：おなら吸収クッション、１ｇ、１ｈ：座部、２：空胴体、２ａ・２ｂ：空洞構成体、３：空気出入口、３ａ：空気排出口、４：空気取込部、４ａ：空気排出パイプ、４ｂ：パイプ、４ｃ：戻りばね、５：消臭繊維、６：スポンジ、６ａ：消音材、７：クッションカバー、７ａ：座カバー、８：コイルばね、８ａ：板ばね、９：空気流制限部、１０：お尻、２０：手、３０：放屁ガス体、４０・５０：手移動方向、６０・７０：空気移動方向、８０：電源ＳＷ、８０ａ：リモコン、８１：送風機、８１ａ：送風８２：電動消音器、８３：マイク、８４：イコライザアンプ、８５：スピーカ、９０：騒音源、９１：打ち消し音源、１００：シート、１０１：椅子、１０２背部、１０３：接合部、
１０４：蛇腹部、１０５補強材
【図１】
0003170161.tif 000003
【図２】
0003170161.tif 000004
【図３】
0003170161.tif 000005
【図４】
0003170161.tif 000006
【図５】
0003170161.tif 000007
【図６】
0003170161.tif 000008
【図７】
0003170161.tif 000009
【図８】
0003170161.tif 000010
【図９】
0003170161.tif 000011
【図１０】
0003170161.tif 000012
【手続補正書】
【提出日】平成23年7月5日(2011.7.5)
【手続補正１】
【補正対象書類名】実用新案登録請求の範囲
【補正対象項目名】全文
【補正方法】変更
【補正の内容】
【実用新案登録請求の範囲】
【請求項１】
お尻を載せるクッションにおいて、
内部に空気が出入りする空気出入口と空気出入口から取り込んだ空気をため込む空気取込部を設けたこと
を特徴とする、おなら吸収クッション。
【請求項２】
請求項１に記載のおなら吸収クッションであって、
前記空気出入口は、少なくともクッション片面の中央部付近に設けたこと
を特徴とする、おなら吸収クッション。
【請求項３】
請求項１または２に記載のおなら吸収クッションであって、
前記空気取込部に、空気の流れを抑制する空気流制限部を設けたこと
を特徴とする、おなら吸収クッション。
【請求項４】
請求項１から３のいずれかに記載のおなら吸収クッションであって、
前記空気取込部を、クッション部と分離したこと
を特徴とする、おなら吸収クッション。
【請求項５】
請求項１から４に記載のおなら吸収クッションであって、
前記空気取込部の空気取込みに、空気を送るポンプや送風機を用いた吸引装置を設けたこと
を特徴とする、おなら吸収クッション。
【請求項６】
請求項１から５のいずれかに記載のおなら吸収クッションであって、
前記空気取込部の、空気取込みは、空気取込部を構成するプラスチックや金属の反発力、または、コイルバネや、板バネの反発力で達成されること
を特徴とする、おなら吸収クッション。
【請求項７】
請求項１から６のいずれかに記載のおなら吸収クッションであって、
前記空気取込部の内部、外部周辺は、消臭繊維で構成されていること
を特徴とする、おなら吸収クッション。
【請求項８】
お尻を載せるクッションにおいて、
少なくとも片面中央付近の内部にマイクを設け、おなら音を騒音源として、打ち消し音源を発生する消音装置とスピーカを設け、電子消音部としたこと
を特徴とする請求項１記載のおなら吸収クッション。
【請求項９】
請求項１から７のいずれかに記載のおなら吸収クッションであって、
前記空気出入口付近にマイクを設け、おなら音を騒音源として、打ち消し音源を発生する消音装置とスピーカを設け、電子消音部としたこと
を特徴とする、おなら吸収クッション。
【請求項１０】
請求項５に記載のおなら吸収クッションであって、
前記記載の吸引装置は電動とし、電動スイッチにより稼動制御すること
を特徴とする、おなら吸収クッション。
【請求項１１】
請求項１から１０のいずれかに記載のおなら吸収クッションであって、
椅子や自動車シートの座部としたこと
を特徴とする、おなら吸収クッション。